(57)【要約】【課題】  光ディスク等の記録媒体に録画された放送番組の消去と放送番組の記録とを行う操作を短時間で簡単に行うことができる記録再生装置を提供する。 【解決手段】  リモコン２０のオ−ト録画キ−２２ａが押下されると、ＤＶＤ−ＲＷ等の光ディスク１０に既に録画されている全ての放送番組を消去し、消去後に受信中の放送番組を光ディスク１０に録画し、録画終了後に、録画した放送番組を再生可能とするためにファイナライズ処理を行うように構成されているため、従来のように全ての放送番組を消去する操作をした後に消去が終了するのを待って録画キ−２２ｃを押下する必要がなくなる。【選択図】図３
2007005922.tif 000002
【特許請求の範囲】
【請求項１】
複数のキ−を備えた操作部からの指示に基づいて制御手段で装置の各部を制御することにより、受信する放送番組をＤＶＤ−ＲＷに録画し、同ＤＶＤ−ＲＷに録画された放送番組を再生する記録再生装置において、
上記操作部にオ−ト録画キ−を設け、
上記オ−ト録画キ−が押下された場合、
記制御手段は、上記ＤＶＤ−ＲＷに録画されている全ての放送番組を消去できるときには、同全ての放送番組を消去し、消去後に放送番組を同ＤＶＤ−ＲＷに録画し、その後、録画された放送番組を再生することができるようにファイナライズを行い、上記ＤＶＤ−ＲＷに録画されている全ての放送番組を消去できないときには、エラ−メッセ−ジを外部に接続された表示装置に表示させる一方、
上記操作部のキ−が操作され、放送番組の録画予約がされた場合、
上記制御手段は、上記ＤＶＤ−ＲＷに録画されている全ての放送番組を消去する旨の指定がされたときに、上記ＤＶＤ−ＲＷに録画されている全ての放送番組を消去できるときには、同全ての放送番組を消去し、消去後に放送番組を上記ＤＶＤ−ＲＷに録画し、その後、録画された放送番組を再生することができるようにファイナライズを行い、上記ＤＶＤ−ＲＷに録画されている全ての放送番組を消去できないときには、エラ−メッセ−ジを外部に接続された表示装置に表示させることを特徴とする記録再生装置。
【請求項２】
複数のキ−を備えた操作部からの指示に基づいて制御手段で装置の各部を制御することにより、受信する放送番組を書き換え可能型の記録媒体に録画し、同記録媒体に録画された放送番組を再生する記録再生装置において、
上記操作部にオ−ト録画キ−を設け、
上記オ−ト録画キ−が押下された場合、上記制御手段は、上記記録媒体に録画されている放送番組を消去し、消去後に放送番組を同記録媒体に録画し、その後、録画された放送番組を再生することができるようにファイナライズを行うことを特徴とする記録再生装置。
【請求項３】
複数のキ−を備えた操作部からの指示に基づいて制御手段で装置の各部を制御することにより、受信する放送番組を書き換え可能型の記録媒体に録画し、同記録媒体に録画された放送番組を再生する記録再生装置において、
上記操作部のキ−が操作され、放送番組の録画予約がされた場合、録画予約において上記記録媒体に録画されている放送番組を消去する旨の指定がされたときは、上記制御手段は、同記録媒体に録画されている放送番組を消去し、
上記録画予約された放送番組の録画開始時刻に到達した場合、上記制御手段は、同放送番組を上記記録媒体に録画し、その後、録画された放送番組を再生することができるようにファイナライズを行うことを特徴とする記録再生装置。
【請求項４】
上記制御手段は、上記記録媒体に録画されている全ての放送番組を消去することができるときには、同全ての放送番組を消去する一方、同記録媒体に録画されている放送番組の少なくとも１つが消去できないときには、同記録媒体に録画されている放送番組の消去および放送番組の録画を行わないことを特徴とする請求項２または３に記載の記録再生装置。
【請求項５】
上記記録媒体に録画されている放送番組の少なくとも１つが消去できないときには、全ての放送番組を消去することができない旨を表示するエラ−メッセ−ジ表示手段を具備することを特徴とする請求項４に記載の記録再生装置。
【請求項６】
上記制御手段は、上記記録媒体に録画されている全ての放送番組を消去できるときには、同全ての放送番組を消去し、同記録媒体に録画されている放送番組の少なくとも１つが消去できないときには、同記録媒体に録画されている消去できる放送番組のみを消去することを特徴とする請求項２または３に記載の記録再生装置。
【請求項７】
上記放送番組の録画中に、一時停止の操作が行われたときには、上記ファイナライズを行わない一方、停止の操作が行われたとき、および、記録媒体に記録可能な容量がなくなったときには、上記ファイナライズを行うことを特徴とする請求項２〜６のいずれかに記載の記録再生装置。
【発明の詳細な説明】
【技術分野】
【０００１】
本発明は、ＤＶＤ（Digital Versatile Disk）やＣＤ−ＲＯＭ等の記録媒体に放送番組を録画し、録画された放送番組を再生する再生機能を具備する記録再生装置に関するものである。
【背景技術】
【０００２】
ＤＶＤ−ＲＷ等の光ディスクは、テレビ放送の放送番組の記録媒体として広く用いられている。この光ディスクに多数の放送番組が既に録画されており十分な空き領域が残っていない場合や、新たなシリ−ズ物の放送番組だけを１枚の光ディスクに録画したい場合がある。このような場合、従来のＤＶＤレコ−ダ等の記録再生装置では、ユ−ザが既に録画されている全ての放送番組を光ディスクから消去するための操作をリモコンで行ってから、消去が終了するのを待って録画キ−を押下することにより放送番組を録画している。
【０００３】
また、従来技術としての特許文献１〜２には、光ディスクの挿入時に、フォ−マット（初期化）済みであるか未フォ−マットであるか否かを判定し、未フォ−マットである場合には、フォ−マットを行うようにした記録再生装置が知られている。
【特許文献１】特開２００３−２８１７９２号公報
【特許文献２】特開平６−３５６２２号公報
【発明の開示】
【発明が解決しようとする課題】
【０００４】
しかしながら、上記従来のものにおいては、録画されている放送番組の消去が終了してからでないと、放送番組を録画することができないので、直ちに席を外すような場合には、録画キ−を押下することができず、受信中の放送番組を録画することができないという問題がある。また、録画された放送番組を消去するための操作と、録画キ−を押下する操作との両方を行わなければならないため、操作が煩わしいという問題もある。なお、上記特許文献１、２に記載の録画再生装置では、上記の問題を解決することができない。
【０００５】
本発明は、かかる実情にかんがみ、光ディスク等の記録媒体に録画された放送番組の消去と放送番組の記録とを行う操作を短時間で簡単に行うことができる記録再生装置を提供しようとするものである。
【課題を解決するための手段】
【０００６】
上記目的を達成するため、請求項２にかかる発明は、複数のキ−を備えた操作部からの指示に基づいて制御手段で装置の各部を制御することにより、受信する放送番組を書き換え可能型の記録媒体に録画し、同記録媒体に録画された放送番組を再生する記録再生装置において、上記操作部にオ−ト録画キ−を設け、同オ−ト録画キ−が押下された場合、上記制御手段は、上記記録媒体に録画されている放送番組を消去し、消去後に放送番組を同記録媒体に録画し、その後、録画された放送番組を再生することができるようにファイナライズを行う構成としてある。
【０００７】
上記のように構成した請求項２にかかる発明において、上記オ−ト録画キ−を押下するだけで、記録媒体に録画されている放送番組が消去され、消去後に放送番組が同記録媒体に自動的に録画されるので、従来のように、放送番組を消去する操作をした後に消去が終了するのを待って録画キ−を押下する必要がなくなる。すなわち、記録媒体に録画されていく放送番組の消去と放送番組の記録とを行う操作を短時間で簡易に行うことが可能となる。これにより、ユ−ザ−の操作の手間を軽減することができる。また、従来のように消去が終了するのを待って録画キ−を押下する必要がないので、直ちに席を外すような場合でも録画されている放送番組が消去された記録媒体に新たに放送番組を録画することができる。また、録画が終了したとき等に、同録画された放送番組を再生することができるようにファイナライズを行うため、上記オ−ト録画キ−を一度押下して放置しておけば、録画が終了して戻ってきたときに、同録画された放送番組を直ちに視聴することが可能となる。
【０００８】
また、請求項３にかかる発明は、複数のキ−を備えた操作部からの指示に基づいて制御手段で装置の各部を制御することにより、受信する放送番組を書き換え可能型の記録媒体に録画し、同記録媒体に録画された放送番組を再生する記録再生装置において、上記操作部のキ−が操作され、放送番組の録画予約がされた場合、録画予約において上記記録媒体に録画されている放送番組を消去する旨の指定がされたときは、上記制御手段は、同記録媒体に録画されている放送番組を消去し、上記録画予約された放送番組の録画開始時刻に到達した場合、上記制御手段は、同放送番組を上記記録媒体に録画し、その後、録画された放送番組を再生することができるようにファイナライズを行う構成としてある。
【０００９】
上記のように構成した請求項３にかかる発明において、録画予約するときに記録媒体に録画されている放送番組を消去する旨の指定をすることにより、同放送番組が消去され、消去後に録画予約された放送番組が同記録媒体に自動的に録画されるので、従来のように放送番組を消去する操作をした後に、消去が終了するのを待って録画予約の操作を行う必要がなくなる。すなわち、記録媒体に録画されている放送番組の消去と、放送番組の録画予約とを行う操作を短時間で簡易に行うことができる。これにより、ユ−ザ−の操作の手間を軽減することができる。また、従来のように消去が終了するのを待って録画予約の操作を行う必要がないので、直ちに席を外すような場合でも録画されている放送番組が消去された記録媒体に録画予約された放送番組を新たに録画することができる。また、録画が終了したとき等に、同録画された放送番組を再生することができるようにファイナライズを行うため、上記オ−ト録画キ−を一度押下して放置しておけば、録画が終了して戻ってきたときに、同録画された放送番組を直ちに視聴することが可能となる。
【００１０】
また、請求項４にかかる発明は、上記制御手段は、上記記録媒体に録画されている全ての放送番組を消去することができるときには、同全ての放送番組を消去する一方、同記録媒体に録画されている放送番組の少なくとも１つが消去できないときには、同記録媒体に録画されている放送番組の消去および放送番組の録画を行わない構成としてある。
【００１１】
上記のように構成した請求項４にかかる発明において、放送番組のいずれかが消去できないときには、その放送番組の消去を行わないようにすることにより、保存しておきたい放送番組が消去されてしまうことを防止することができる。また、消去できない放送番組が録画されているときには、消去および録画が行われないので、既に録画されている放送番組と新たな放送番組とが１つの記録媒体に混在してしまうことを防止することが可能となる。
なお、記録媒体に録画された放送番組が消去できない場合というのは、消去プロテクトがかけられている場合や、記録媒体が書き換え不可能な記録媒体（例えば、ＤＶＤ−Ｒ等）である場合である。
【００１２】
また、請求項５にかかる発明は、上記記録媒体に録画されている放送番組の少なくとも１つが消去でいないときには、全ての放送番組を消去することができない旨を表示するエラ−メッセ−ジ表示手段を具備する構成としてある。
上記のように構成した請求項５にかかる発明において、エラ−メッセ−ジを表示させて全放送番組を消去することができない旨を報知することにより、ユ−ザ−は、記録媒体に交換や、録画または予約録画の取り止め等の処置を講ずることが可能となる。
【００１３】
また、請求項６にかかる発明は、上記制御手段は、上記記録媒体に録画されている全ての放送番組を消去できるときには、同全ての放送番組を消去し、同記録媒体に録画されている放送番組の少なくとも１つが消去できないときには、同記録媒体に録画されている消去できる放送番組のみを消去する構成としてある。
【００１４】
上記のように構成した請求項６にかかる発明において、消去できない放送番組があるときに、消去できる放送番組のみを消去する構成とすることにより、保存しておきたい放送番組が消去されてしまうことを防止することができる。また、消去できない放送番組が録画されているときでも、消去できる放送番組だけを消去した後に放送番組を新たに録画するので、既に録画されている放送番組と新たに録画される放送番組とが１つの記録媒体に混在していても不都合がない場合には、ユ−ザ−の使い勝手が良くなる。
【００１５】
また、請求項７にかかる発明は、上記放送番組の録画中に、一時停止の操作が行われたときには、上記ファイナライズを行わない一方、停止の操作が行われたとき、および、記録媒体に記録可能な容量がなくなったときには、上記ファイナライズを行う構成としてある。
上記のように構成した請求項７にかかる発明において、録画の中断後に再継続される可能性がある場合には、ファイナライズを行わず、録画が終了した場合には、ファイナライズを行うことが可能となる。
【発明の効果】
【００１６】
本発明の請求項２にかかる発明では、ユ−ザ−の操作の手間を軽減することができ、また、操作後に直ちに席を外すような場合でも録画されている放送番組が消去された記録媒体に新たに放送番組を録画することができる。
また、請求項３にかかる発明では、ユ−ザ−の操作の手間を軽減することができ、また、操作後に直ちに席を外すような場合でも録画されている放送番組が消去された記録媒体に新たに放送番組を録画することができる。
また、請求項４にかかる発明では、保存しておきたい放送番組が消去されてしまうことを防止することができ、また、既に録画されている放送番組と新たな放送番組とが１つの記録媒体に混在してしまうことを防止することが可能となる。
また、請求項５にかかる発明では、エラ−メッセ−ジを表示させて全放送番組を消去することができない旨を報知することにより、ユ−ザ−は、記録媒体に交換や、録画または予約録画の取り止め等の処置を講ずることが可能となる。
また、請求項６にかかる発明では、保存しておきたい放送番組が消去されてしまうことを防止することができ、また、消去できる放送番組だけを消去した後に放送番組を新たに録画するので、既に録画されている放送番組と新たに録画される放送番組とが１つの記録媒体に混在していても不都合がない場合には、ユ−ザ−の使い勝手が良くなる。
また、請求項７にかかる発明では、録画の中断後に再継続される可能性がある場合には、ファイナライズを行わず、録画が終了した場合には、ファイナライズを行うことが可能となる。
【発明を実施するための最良の形態】
【００１７】
以下、下記の順序に従って本発明の実施形態を説明する。
（１）第一の実施形態：
（２）第二の実施形態：
（３）各種変形例：
（４）まとめ：
【００１８】
（１）記録再生装置の構成：
以下、本発明の実施形態について説明する。
図１は、実施形態にかかる記録再生装置の概略構成を示すブロック図である。この記録再生装置１は、書き換え可能型の光ディスク１０（ＤＶＤ−ＲＷ等）および追記型の光ディスク１０（ＤＶＤ−Ｒ等）にテレビ放送の放送番組を録画するとともに、光ディスク１０（ＤＶＤ−Ｒ、ＤＶＤ−ＲＷ、ＤＶＤ−ＲＯＭ等）に録画された放送番組や映像デ−タ等を再生する。なお、この記録再生装置１の構成は、後述するオ−ト録画キ−がリモコン２０に設けられている点を除き、ハ−ドウェア的には従来の記録再生装置と同様である。
【００１９】
以下、図１を参照して記録再生装置１について説明する。制御部１８は、ＣＰＵ１８ａ、メモリ１８ｂおよび図示しない制御回路から構成され、メモリ１８ｂに格納されているプログラムをＣＰＵ１８ａが実行することによって、記録再生装置１の各部を制御する。図中の矢印付きの破線は、制御信号や制御デ−タの流れを示す。また、メモリ１８ｂは、各種の制御デ−タの記憶領域やＣＰＵ１８ａの演算作業領域等としても使用される。
【００２０】
リモコン２０には、図２に示すように、電源スイッチ２１と多数のキ−２２（オ−ト録画キ−２２ａ、メニュ−キ−２２ｂ、録画キ−２２ｃ、再生キ−２２ｄ、停止キ−２２ｅ、決定キ−２２ｆ、カ−ソルキ−２２ｇ等）とが設けられている。リモコン２０のキ−２２が押下されると、押下されたキ−２２の信号が制御部１８に送信され、制御部１８がキ−操作に応じて各部を制御することにより、放送番組の光ディスク１０への録画や録画された放送番組の再生等が行われる。なお、図１には図示していないが、記録再生装置１の筐体の前面に配置された操作パネル１９にも、電源スイッチや、オ−ト録画キ−、録画キ−、再生キ−、停止キ−等が設けられている。以下では、リモコン２０のキ−２２のみが押下されるものとして説明する。時計ＩＣ１７は、現在の年月日および時刻（以下、両者を合わせて日時という）を記憶しており、制御部１８によって日時デ−タの読み書きが行われる。
【００２１】
放送受信部１２は、アンテナ１１で受信された放送信号を選局し、さらに選局された放送信号の増幅および検波を行い、映像信号と音声信号とを出力する。この映像信号と音声信号とは、それぞれ記録信号処理部１３でＡ／Ｄ変換された後に圧縮符号化され、記録再生部１４で光ディスク１０に書き込まれる（録画される）。記録再生部１４は、圧縮符号化された映像信号と音声信号とを光ディスク１０の書き込み信号に変調する変調回路や、光ディスク１０から読み出された信号を復調する復調回路、光ピックアップ、光ディスク１０をセットするトレイ、光ディスク１０を回転させるための回転駆動機構等から構成されている。
【００２２】
一方、記録再生部１４で光ディスク１０から読み出された（再生された）信号は、再生信号処理部１５で映像信号と音声信号とに分離され、分離された信号が伸張複合化された後にＤ／Ａ変換される。Ｄ／Ａ変換された音声信号は、テレビ３０の音声信号入力端子に入力される。また、Ｄ／Ａ変換された映像信号に対して、ＯＳＤ処理部１６でＯＳＤ用信号が重畳される。ＯＳＤ用信号は、制御部１８によって生成されるオンスクリ−ン表示用の信号であり、テレビ３０の画面にオンスクリ−ン表示をするときに制御部１８から出力される。そして、ＯＳＤ処理部１６の出力信号がテレビ３０（外部に接続された表示装置）の映像信号入力端子に入力される。
【００２３】
上述のようにして録画された放送番組のデ−タは、録画操作毎に（すなわち、放送番組（タイトル）毎に）ファイルとして光ディスク１０のデ−タ領域に記録される。また、ファイルの管理情報（録画開始アドレスや録画サイズ等）は、光ディスク１０の管理領域に記録される。従って、録画された放送番組の消去は、デ−タ領域に記録されたデ−タ自体を消去するのではなく、ファイルの管理情報を書き換えることによって行われる。なお、ＤＶＤ−ＲＷの略全域に放送番組のデ−タが記録されているときに、全ての放送番組のファイルの管理情報を書き換えるのに必要な時間は、１分程度である。
【００２４】
次に、記録再生装置１の動作について説明する。リモコン２０のオ−ト録画キ−２２ａが押下されると、図３に示すオ−ト録画処理が図示しないメインル−チンから呼び出されて実行される。このオ−ト録画処理は、光ディスク１０に録画されている全ての放送番組を消去し、消去後に受信中の放送番組を光ディスク１０に録画する処理である。以下では、書き換え可能型の光ディスク１０（ＤＶＤ−ＲＷ等）が、記録再生装置１のトレイにセットされているものとして説明する。
【００２５】
まず、制御部１８は、光ディスク１０に録画されている全ての放送番組を消去することができるか否かを判定する（Ｓ１）。この判定は、各放送番組のファイルの管理情報を読み出し、消去プロテクトがかけられているか否かを調べるとともに、光ディスク１０が、書き換え不可能な光ディスク（例えば、ＤＶＤ−Ｒ等）であるか否かを調べることにより行われる。全ての放送番組を消去することができない場合（Ｓ１：ＮＯ）、例えば、消去プロテクトがかけられたファイルが存在する場合には、制御部１８は、エラ−メッセ−ジの表示信号を出力する（Ｓ７）。具体的には、オンスクリ−ン表示用のデ−タを生成してＯＳＤ処理部１６に送信する。この結果、全ての放送番組を消去できないことを示すエラ−メッセ−ジがオンスクリ−ン表示される。全ての放送番組を消去することができる場合は（Ｓ１：ＹＥＳ）、制御部１８は、録画されている全ての放送番組を光ディスク１０から消去し（Ｓ２）、消去の終了後に受信中の放送番組の録画を開始する（Ｓ３）。録画中に停止キ−２２ｅが押下されると（Ｓ４：ＹＥＳ）、制御部１８は、放送番組の録画を終了し（Ｓ５）、ファイナライズ処理を行って（Ｓ６）、処理ステップを呼び出し元に戻す。ファイナライズ処理（Ｓ６）では、放送番組のデ−タをトラック単位で書き込んだ後、ＩＳＯ９６６０の管理情報を作成し、セッションをクロ−ズ（リ−ドインとリ−ドアウトとを書き込む）させる。
【００２６】
なお、図３では、停止キ−が押下されると（Ｓ４：ＹＥＳ）、放送番組の録画を終了させてファイナライズ処理を行っているが、光ディスク１０の記録領域がＦＵＬＬになった場合にも、自動的に録画終了（Ｓ５）、ファイナライズ処理（Ｓ６）が行われる。また、放送番組の録画中に一時停止キ−が押下された場合には、再度録画キ−が押下されるまで放送番組の録画が中断されるが、ファイナライズ処理（Ｓ６）は行われない。
【００２７】
また、上記の消去プロテクトの設定・解除は、図４に示す録画済み番組リスト４０をテレビ３０の画面にオンスクリ−ン表示させ、消去プロテクトの設定・解除対象のタイトルの消去プロテクト欄においてオン（消去プロテクトをかける）またはオフ（消去プロテクトを外す）のいずれかを選択することにより行われる。上記の選択は、例えば、カ−ソルキ−２２ｇおよび決定キ−２２ｆを用いて行われる。また、録画済み番組リスト４０は、メニュ−キ−２２ｂを押下する等することによってオンスクリ−ン表示される。図４に示すタイトル番号２の放送番組に消去プロテクトがかけられているような場合は、上記ステップＳ１での判定はＮＯとなる。
【００２８】
上記のように、オ−ト録画キ−２２ａを押下するだけで、光ディスク１０に録画されている全ての放送番組が消去され、消去後に受信中の放送番組が自動的に録画され、録画が終了すると、録画された放送番組を再生可能とするためのファイナライズ処理が行われるので、従来のように全ての放送番組を消去する操作をした後に消去が終了するのを待って録画キ−２２ｃを押下する必要がなくなる。すなわち、光ディスク１０に録画されている全ての放送番組の消去と、放送番組の録画と、録画終了後のファイナライズとを行う操作を短時間で簡易に行うことができる。これにより、ユ−ザ−の操作の手間を軽減することができる。また、従来のように消去が終了するのを待って録画キ−２２ｃを押下する必要がないので、直ちに席を外すような場合でも録画されている放送番組が消去された光ディスク１０にテレビ放送番組を新たに録画することができる。また、光ディスク１０に消去できない放送番組が録画されている場合には、放送番組の消去が行われないので、保存しておきたい放送番組が消去されてしまうことを防止することが可能となる。
【００２９】
（２）第二の実施形態：
次に、本発明の第二の実施形態について説明する。先の実施形態では、オ−ト録画キ−２２ａを用いることにより光ディスク１０に記録画されている全ての放送番組の消去と録画とを１つの操作で行えるようにしたが、本実施形態では、録画されている全ての放送番組の消去と、放送番組の録画予約とを一括してできるようにする。
図５は、放送番組の録画予約をするための録画予約処理の処理内容を示すフロ−チャ−トである。また、図６は、録画予約された番組を録画するための予約録画処理の処理内容を示すフロ−チャ−トである。さらに、図７は、録画予約のときにテレビ３０の画面にオンスクリ−ン表示される録画予約画面を示す図である。
【００３０】
録画予約をするときにメニュ−キ−２２ｂ等が押下されると、録画予約画面５０がオンスクリ−ン表示されるとともに、録画予約処理がメインル−チンから呼び出されて実行される。録画予約画面５０の上部側には、録画予約の入力画面５１が表示され、下部側には既に行われた録画予約の内容を示す録画予約リスト５２が表示される。録画予約リスト５２は、録画予約の内容を記憶する録画予約テ−ブルを表形式で表示したものである。録画予約テ−ブルは、制御部１８のメモリ１８ｂに保存されている。録画予約画面５０が表示された状態で、カ−ソルキ−２２ｇや決定キ−２２ｆ等を従来と同様に操作することにより、録画開始時刻や全ての放送番組を消去するか否かの指定等の録画予約情報が入力画面５１に示される。
【００３１】
録画予約処理（図５）では、制御部１８は、入力画面５１に全ての録画予約情報が入力されたか否かを判定し（Ｓ２１）、全ての録画予約情報が入力されると（Ｓ２１：ＹＥＳ）、全ての放送番組を消去する指定が行われたか否かを判定する（Ｓ２２）。この指定が行われなかった場合には（Ｓ２２：ＮＯ）、制御部１８は、入力された録画予約情報を録画予約テ−ブルに登録して（Ｓ２５）、処理ステップＳを呼び出し元に戻す。一方、上記指定が行われた場合には（Ｓ２２：ＹＥＳ）、制御部１８は、光ディスク１０にスクリ−ンがされている全ての放送番組を消去できるか否かを判定する（Ｓ２３）。
【００３２】
全ての放送番組を消去できない場合（Ｓ２３：ＮＯ）、例えば、消去プロテクトがかけられた放送番組が光ディスク１０に記録されている場合や、光ディスク１０が書き換え不可能な光ディスク（ＤＶＤ−Ｒ等）である場合には、制御部１８は、エラ−メッセ−ジの表示信号を出力する（Ｓ２６）。この結果、全ての放送番組を消去できないことを示すエラ−メッセ−ジがオンスクリ−ン表示される。それに対し、全ての放送番組を消去できる場合には（Ｓ２３：ＹＥＳ）、制御部１８は、全ての放送番組を光ディスク１０から消去する（Ｓ２４）。その後、入力された録画予約情報を録画予約テ−ブルに登録して（Ｓ２５）、処理ステップを呼び出し元に戻す。
【００３３】
一方、予約録画処理（図６）は、一定時間毎に（例えば、１００ｍｓ毎に）メインル−チンから呼び出されて実行される。まず、制御部２８は、時計ＩＣ１７から読み出した日時デ−タを調べることにより、録画予約テ−ブル中の録画予約のいずれかが録画開始時刻に到達したか否かを判定する（Ｓ３１）。録画開始時刻に到達していない場合には（Ｓ３１：ＮＯ）、何もせずに処理ステップを呼び出し元に戻す。録画開始時刻に到達した場合には（ステップＳ３１：ＹＥＳ）、録画予約されたチャンネルの放送番組が受信されるように当該チャンネルを放送受信部１２に設定する等して、放送番組の録画を開始する（Ｓ３２）。そして、録画終了時刻に到達すると（Ｓ３３：ＹＥＳ）、放送番組の録画を終了し（Ｓ３４）、ファイナライズ処理を実行する（Ｓ３５）。このファイナライズ処理は、図３のステップＳ６に示したファイナライズ処理と同様であるので説明を省略する。ステップＳ３５のファイナライズ処理を実行した後、録画した放送番組の録画予約情報を録画予約テ−ブルから削除し（Ｓ３６）、処理ステップを呼び出し元に戻す。
【００３４】
上記のように、録画予約するときに全ての放送番組を消去する旨の指定を行うことにより、光ディスク１０に録画されている全ての放送番組が消去され、消去後に録画予約された放送番組が自動的に録画され、録画終了後にファイナライズが行われるので、従来のように全ての放送番組を消去する操作をした後に消去が終了するのを待って録画予約の操作を行う必要がなくなる。すなわち、光ディスク１０に録画されている全ての放送番組の消去と録画予約とを行う操作を短時間で簡易に行うことができる。これにより、ユ−ザ−の操作の手間を軽減することができる。また、従来のように消去が終了するのを待って録画予約の操作を行う必要がないので、直ちに席を外すような場合でも録画することができる。また、光ディスク１０に消去できない放送番組が録画されている場合は、放送番組の消去が行われないので、保存しておきたい放送番組が消去されてしまうことを防止することができる。
【００３５】
（３）各種変形例：
上述した実施形態では、１つでも消去できない放送番組（例えば、消去プロテクトがかけられている放送番組）があると、消去を行うことなるエラ−メッセ−ジを表示するように構成されているが、消去できない放送番組をそのまま残し、消去できるほうだけを消去した後に、新たな放送番組を録画するようにしてもよい。また、上記実施形態では、本発明で使用される記録媒体が書き換え可能型の光ディスク１０である場合について説明したが、記録媒体は、このような光ディスクに限定されるものではなく、ハ−ドディスクドライブ等の他の記録媒体であってもよい。
【００３６】
さらに、上記実施形態では、オ−ト録画処理（図３）および録画予約処理（図５）にお
いて光ディスク１０に記録された全ての放送番組を消去する前にユーザに対する警告メッ
セージを出さなかったが、警告メッセージを出すようにし、ユーザが許可した場合に限り
全ての放送番組を消去するようにしてもよい。さらに、上記実施形態では、テレビ放送の
放送番組を録画する場合について説明したが、ラジオ放送の放送番組を録音する場合にも
本発明を実施することができる。
【００３７】
さらに、上記実施形態では、記録再生装置１とテレビ３０は別々の装置であったが、本
発明にかかる記録再生装置１は、記録再生装置一体型テレビを構成する記録再生装置をも
含むものである。
さらにまた、上述した実施形態では、書き換え可能型の記録媒体としてＤＶＤ−ＲＷを適用した場合について説明したが、本発明の記録装置が放送番組の録画を行う光ディスクとしては、ＤＶＤ−ＲＷに限定されるものではなく、ＤＶＤ＋ＲＷ、ＣＤ−ＲＷ等、各種の書き換え可能型記録媒体を適用することができる。
【００３８】
（４）まとめ：
以上説明したように、実施形態にかかる記録再生装置１によれば、リモコン２０のオ−ト録画キ−２２ａが押下されると、ＤＶＤ−ＲＷ等の光ディスク１０に既に録画されている全ての放送番組を消去し、消去後に受信中の放送番組を光ディスク１０に録画し、録画終了後に、録画した放送番組を再生可能とするためにファイナライズ処理を行うように構成されているため、従来のように全ての放送番組を消去する操作をした後に消去が終了するのを待って録画キ−２２ｃを押下する必要がなくなる。すなわち、光ディスク１０に録画されている全ての放送番組の消去と、放送番組の録画と、録画終了後のファイナライズとを行う操作を短時間で簡易に行うことができる。これにより、ユ−ザ−の操作の手間を軽減することができる。また、従来のように消去が終了するのを待って録画キ−２２ｃを押下する必要がないので、直ちに席を外すような場合でも録画されている放送番組が消去された光ディスク１０にテレビ放送番組を新たに録画することができる。また、光ディスク１０に消去できない放送番組が録画されている場合には、放送番組の消去が行われないので、保存しておきたい放送番組が消去されてしまうことを防止することが可能となる。
【図面の簡単な説明】
【００３９】
【図１】第一の実施形態にかかる記録再生装置のブロック図である。
【図２】オ−ト録画キ−が設けられたリモコンを示す図である。
【図３】オ−ト録画処理の流れを示すフロ−チャ−トである。
【図４】録画済みの番組リストを示す図である。
【図５】録画予約処理のフロ−チャ−トである。
【図６】予約録画処理のフロ−チャ−トである。
【図７】録画予約画面を示す図である。
【符号の説明】
【００４０】
１…記録再生装置
１０…光ディスク
１４…記録再生部
１８…制御部
１９…操作パネル
２０…リモコン
２２…キ−
２２ａ…オ−ト録画キ−
２２ｃ…録画キ−
３０…テレビ
５０…録画予約画面
【図１】
2007005922.tif 000003
【図２】
2007005922.tif 000004
【図３】
2007005922.tif 000005
【図４】
2007005922.tif 000006
【図５】
2007005922.tif 000007
【図６】
2007005922.tif 000008
【図７】
2007005922.tif 000009